(57)【要約】【課題】貯湯タンク１０内の残湯を有効利用して給湯や暖房を実施する。【解決手段】貯湯式給湯装置１は、ヒートポンプ熱源機２０によって加熱されたお湯を蓄える貯湯タンク１０を備え、給湯制御部４２が貯湯タンク１０内の残湯量が所定量未満であると判定したとき、貯湯タンク１０内の残湯を熱源とする給湯および暖房のうち１つの機能を優先して運転させることができる。したがって、貯湯式給湯装置１において、貯湯タンク１０内の残湯が少なくなったとき、自動的に給湯および暖房のうち１つの機能を優先して運転させる。【選択図】図４
2015081713.tif 000002
【特許請求の範囲】
【請求項１】
加熱装置（２０）によって加熱されたお湯を蓄える貯湯タンク（１０）と、
前記貯湯タンク内の残湯が所定量未満であるか否かを判定する残湯判定手段（Ｓ１０１、Ｓ１１０、Ｓ１０４、Ｓ１７０）と、
前記貯湯タンク内の残湯が所定量未満であると前記残湯判定手段が判定したとき、前記貯湯タンク内の残湯を熱源とする複数の機能のうち１つの機能を優先して運転する優先運転手段（Ｓ１０２、Ｓ１０５）と、を備えることを特徴とする貯湯式給湯装置。
【請求項２】
前記貯湯タンク内の残湯を熱源として暖房する暖房機器（６０Ａ、６０Ｂ、７０Ａ、７０Ｂ）と、
前記暖房機器を操作する暖房リモコン（９０ａ）と、を備え、
前記複数の機能は、前記暖房機器が暖房する機能を含んでおり、
前記暖房リモコンは、表示器（９３）を備えており、
前記優先運転手段が前記複数の機能のうち優先して運転する１つの機能を示す優先機能情報を前記表示器に表示させる優先表示制御手段（Ｓ１１２、Ｓ１１３）を備えることを特徴とする請求項１に記載の貯湯式給湯装置。
【請求項３】
前記貯湯タンク内の残湯が所定量未満であると前記残湯判定手段が判定したときには、前記優先表示制御手段は、前記優先機能情報を前記表示器に表示させることを特徴とする請求項２に記載の貯湯式給湯装置。
【請求項４】
前記貯湯タンク内の残湯量を示す残湯量情報を前記表示器に表示させる残湯量表示制御手段（Ｓ１１４）を備えることを特徴とする請求項２または３に記載の貯湯式給湯装置。
【請求項５】
前記貯湯タンク内の残湯が所定量未満であると前記残湯判定手段が判定したときには、前記残湯量表示制御手段は、前記残湯量情報を前記表示器に表示させることを特徴とする請求項４に記載の貯湯式給湯装置。
【請求項６】
複数の部屋をそれぞれ独立して暖房する複数の前記暖房機器を備えており、
前記優先運転手段は、前記複数の暖房機器を制御して前記複数の部屋のうち予め決められた１つの部屋を優先して暖房することにより、前記複数の機能のうち１つの機能を優先して運転することを特徴とする請求項２ないし５のいずれか１つに記載の貯湯式給湯装置。
【請求項７】
前記複数の機能のそれぞれには、運転させる優先順位が予め設定されており、
前記複数の機能のうち、ある機能よりも優先順位が高い機能が運転中であるか否かを判定する判定手段（Ｓ１５０、Ｓ１５１）を備え、
前記複数の機能のうち、ある機能よりも優先順位が高い機能が運転中であると前記判定手段が判定したときには、前記ある機能の運転を停止し、
前記複数の機能のうち、前記ある機能よりも優先順位が高い機能が停止中であると前記判定手段が判定したときには、前記ある機能の運転を実施させるようになっていることを特徴とする請求項２ないし６のいずれか１つに記載の貯湯式給湯装置。
【請求項８】
前記貯湯タンク内の残湯量を増加させる残湯増加制御手段（Ｓ１７３）と、
前記貯湯タンク内の残湯量を増加させるための操作が前記暖房リモコンに対して施されたか否かを判定する操作判定手段（Ｓ１７２）と、を備え、
前記貯湯タンク内の残湯が所定量未満であると前記残湯判定手段が判定したとき、かつ前記貯湯タンク内の残湯量を増加させるための操作が前記暖房リモコンに対して施されたと前記操作判定手段が判定したときに、前記残湯増加制御手段によって前記貯湯タンク内の残湯量を増加させることを特徴とする請求項２ないし７のいずれか１つの記載の貯湯式給湯装置。
【請求項９】
前記貯湯タンク内の残湯が所定量未満であると前記残湯判定手段が判定したとき、前記貯湯タンク内の残湯量を増加させるための操作を使用者に対して促進させるための情報を前記表示器に表示させる情報表示制御手段（Ｓ１７１）を備えることを特徴とする請求項８に記載の貯湯式給湯装置。
【発明の詳細な説明】
【技術分野】
【０００１】
本発明は、貯湯式給湯装置に関するものである。
【背景技術】
【０００２】
従来、加熱装置によって加熱されたお湯を蓄える貯湯タンクと、貯湯タンク内のお湯を蛇口や浴槽内に導く給湯管と、貯湯タンク内のお湯とブライン（熱媒体）との間で熱交換する熱交換器と、熱交換器と床暖房ユニットとの間でブラインを循環させる暖房回路とを備えたものがある（例えば、特許文献１）。
【０００３】
このことにより、貯湯タンク内のお湯を蛇口や浴槽内に導く給湯機能と、貯湯タンク内のお湯から床暖房ユニットに熱エネルギを伝えて、この熱エネルギによって床暖房ユニットが暖房する暖房機能とを備えることになる。
【先行技術文献】
【特許文献】
【０００４】
【特許文献１】特許第４６４００７２号明細書
【発明の概要】
【発明が解決しようとする課題】
【０００５】
上記特許文献１の貯湯式給湯装置では、貯湯タンク内のお湯から床暖房ユニットに熱エネルギを伝えるために、貯湯タンク内のお湯とブラインとの間で熱交換している。このため、貯湯タンクの残湯が床暖ユニットの使用限界量未満になると、貯湯タンクの残湯を増やさない限り、暖房運転をすることができなくなると考えられる。
【０００６】
そこで、本発明者は、貯湯タンクの残湯量を有効利用して、給湯や暖房を実施することを検討した。
【０００７】
本発明は上記点に鑑みて、貯湯タンクの残湯が所定量未満になると、貯湯タンクの残湯を熱源とする複数の機能のうちいずれか１つの機能を優先して運転するようにした貯湯式給湯装置を提供することを目的とする。
【課題を解決するための手段】
【０００８】
上記目的を達成するため、請求項１に記載の発明では、加熱装置（２０）によって加熱されたお湯を蓄える貯湯タンク（１０）と、前記貯湯タンク内の残湯が所定量未満であるか否かを判定する残湯判定手段（Ｓ１０１、Ｓ１１０）と、前記貯湯タンク内の残湯が所定量未満であると前記残湯判定手段が判定したとき、前記貯湯タンク内の残湯を熱源とする複数の機能のうち１つの機能を優先して運転する優先運転手段（Ｓ１０２、Ｓ１０５）と、を備えることを特徴とする。
【０００９】
請求項１に記載の発明によれば、貯湯タンクの残湯が所定量未満になると、貯湯タンクの残湯を熱源とする複数の機能のうちいずれか１つの機能を優先して運転することができる。
【００１０】
なお、上記所定量は、床暖ユニットの使用限界量よりも多い残湯量である。
【００１１】
なお、この欄および特許請求の範囲で記載した各手段の括弧内の符号は、後述する実施形態に記載の具体的手段との対応関係を示すものである。
【図面の簡単な説明】
【００１２】
【図１】本発明の第１実施形態における貯湯式給湯装置１の全体構成を示す図である。
【図２】図１の暖房リモコンの正面図である。
【図３】図１の給湯制御部の暖房運転制御処理を示すフローチャートである。
【図４】図１の給湯制御部のリモコン表示処理を示すフローチャートである。
【図５】図１の暖房リモコンの正面図である。
【図６】図１の給湯制御部の優先機能設定処理を示すフローチャートである。
【図７】図１の暖房リモコンで優先機能を使用者に対して選択させるための画像を示す図である。
【図８】本発明の第２実施形態の給湯制御部の暖房運転制御処理を示すフローチャートである。
【図９】第２実施形態の給湯制御部の優先機能設定処理を示すフローチャートである。
【図１０】第２実施形態の暖房リモコンで優先機能を使用者に対して選択させるための画像を示す図である。
【図１１】本発明の第３実施形態の給湯制御部の暖房運転制御処理を示すフローチャートである。
【図１２】第３実施形態の給湯制御部の優先機能設定処理を示すフローチャートである。
【図１３】第３実施形態の暖房リモコンで優先機能を使用者に対して選択させるための画像を示す図である。
【図１４】第３実施形態の暖房リモコンの表示を示す図である。
【図１５】本発明の第４実施形態の給湯制御部の暖房運転制御処理を示すフローチャートである。
【図１６】第４実施形態の給湯制御部の優先機能設定処理を示すフローチャートである。
【図１７】第４実施形態の暖房リモコンで優先順位を使用者に対して選択させるための画像を示す図である。
【図１８】本発明の第５実施形態の給湯制御部のタンク増し制御処理を示すフローチャートである。
【図１９】第５実施形態の暖房リモコンでタンク増し制御処理を使用者に促すための画像を示すである。
【発明を実施するための形態】
【００１３】
以下、本発明の実施形態について図に基づいて説明する。なお、以下の各実施形態相互において、互いに同一もしくは均等である部分には、説明の簡略化を図るべく、図中、同一符号を付してある。
【００１４】
（第１実施形態）
図１に、本発明の第１実施形態に係る貯湯式給湯装置１の全体構成を示す。
【００１５】
本実施形態の貯湯式給湯装置１は、貯湯タンク１０内に貯えられた給湯用水を台所、洗面所、風呂などへの給湯機能に用いるとともに、貯えられた給湯用水を一次側の熱源として、二次側に流通する被加熱流体を加熱する熱交換器３０を備え、浴水の追い焚き機能や暖房機能に利用したものである。
【００１６】
先ず、給湯機能は、図１に示すように、給湯用水を内部に貯える貯湯タンク１０と、この貯湯タンク１０内の最下部１０ｃから低温の給湯用水を取り出し、高温にして貯湯タンク１０内の最上部１０ｂに送る給湯用水加熱回路２１と、この給湯用水加熱回路２１を流れる給湯用水を加熱する加熱装置としてのヒートポンプ熱源機２０と、貯湯タンク１０内に水道水を給水する給水用配管１２と、貯湯タンク１０内の給湯用水を導出する給湯管１３と、給湯用配管１４、１４ａと、貯湯式給湯装置１の作動を制御する制御手段（熱源制御部４１、給湯制御部４２）とから構成されている。
【００１７】
一方、追い焚き機能および暖房機能においては、貯湯タンク１０内の給湯用水が一次側に流通する一次側回路３１と、二次側に被加熱流体が流通する二回路の二次側回路３２、３３からなる熱交換器３０と、浴水追い焚き装置８０と、暖房装置である床暖房ユニット６０Ａ、６０Ｂ、暖房ユニット７０Ａ、７０Ｂと、これらを接続する追い焚き回路３４、３５、暖房回路３６、３７、および給湯制御部４２から構成されている。
【００１８】
尚、本実施形態では、二回路の二次側回路３２、３３のうち、一方を追い焚き用熱交換部３２と称し、他方を暖房用熱交換部３３と称している。
【００１９】
次に、給湯機能を構成する構成部品についてより具体的に説明すると、貯湯タンク１０は、縦長形状の耐食性に優れた金属製（例えば、ステンレス製）の容器で形成され、外周部に図示しない断熱材が配設され、高温の給湯用水を長時間に渡って保温できるようになっている。また、貯湯タンク１０内の底面には給水口１０ａが設けられ、この給水口１０ａに給水経路である給水用配管１２が接続されている。
【００２０】
給水用配管１２には、給水温度を検出する給水サーミスタ５１が設けられており、給水用配管１２内の温度情報を給湯制御部４２に出力するようになっている。
給水用配管１２には、開閉弁５１ａおよび流量カウンタ５１ｂが設けられている。開閉弁５１ａは、給湯制御部４２により制御されて給水用配管１２を開閉する。流量カウンタ５１ｂは、給水用配管１２を流れる給水量を検出する。流量カウンタ５１ｂによって検出される給水の流量情報は給湯制御部４２に出力されるようになっている。
【００２１】
また、給水用配管１２には、給水口１０ａに導入される水道水の水圧を所定圧となるように調節するとともに、断水などにおける湯の逆流を防止する図示しない減圧逆止弁が設けられている。更に、給水用配管１２の下流端は、給湯用混合弁１５およびお湯張り用混合弁１５ａの一方の入口側に繋がれている。
【００２２】
また、貯湯タンク１０の最上部には給湯口１０ｂが設けられ、この給湯口１０ｂには貯湯タンク１０内に貯えられた給湯用水のうち、高温の給湯用水を導出するための給湯経路である給湯管１３が接続されている。尚、この給湯管１３の経路途中には空気逃がし弁１９が配設された排出配管１３ａを接続しており、貯湯タンク１０内の圧力が所定圧以上に上昇した場合には、貯湯タンク１０内の給湯用水を外部に排出して、貯湯タンク１０などにダメージを与えないようになっている。
【００２３】
給湯管１３の下流端には給湯用混合弁１５およびお湯張り用混合弁１５ａが設けられ、これらの下流側には混合湯経路である給湯用配管１４、１４ａが接続されている。また、この給湯用配管１４、１４ａには、供給される給湯用水の湯温を検出する出湯サーミスタ５２、５２ａ、および給湯用配管１４、１４ａ内を流通する給湯用水の流量情報を検出する流量カウンタ５７、５７ａが設けられ、出湯サーミスタ５２、５２ａ、および流量カウンタ５７、５７ａにより検出された温度情報および流量情報を給湯制御部４２に出力するようになっている。
【００２４】
給湯用配管１４、１４ａの下流端は台所、洗面所、浴室などに配置された図示しない給湯水栓やシャワー水栓などに通じており、これらの給湯水栓やシャワー水栓が開弁したときに、使用者が設定した設定温度に調節された給湯用水が出湯される。尚、流量カウンタ５７、５７ａが給湯用配管１４、１４ａ内の給湯用水の流れを検出したときは、給湯水栓やシャワー水栓などのいずれかで給湯用水が使用されていることである。また、一方の給湯用配管１４ａは、浴槽８９内に浴水を湯張りするための給湯用配管であって、湯張り用開閉弁５８、流量カウンタ５７ａおよび逆止弁５９が設けられている。
【００２５】
この湯張り用開閉弁５８は、給湯制御部４２により制御され、給湯用配管１４ａに流れる混合湯を開閉する電磁弁である。流量カウンタ５７ａは、給湯用配管１４ａ内に流れる湯張り流量を検出するものである。そして、逆止弁５９は、浴水追い焚き装置８０内の浴水が給湯用配管１４ａ内に逆流させないための弁である。
【００２６】
尚、湯張り用開閉弁５８を開弁させて浴槽８９に湯張り、差し湯、足し湯をするときは、後述する開閉弁８５も開弁するように制御されるとともに、水圧スイッチ８４により検出された水位レベルが所定レベルに達したとき、湯張り用開閉弁５８および開閉弁８５が閉弁されて設定流量の混合湯が浴槽８９内に湯張りされることになる。また、差し湯、足し湯は、湯張り用流量カウンタ５７ａにより検出された流量情報に基づいて所定の流量の混合湯が出湯されるように制御される。
【００２７】
ところで、給湯用混合弁１５および湯張り用混合弁１５ａは、給湯用配管１４、１４ａに供給する給湯用水の湯温を調節する温度調節弁であり、給湯管１３側と給水用配管１２側との開口面積比を調節することで、給湯用水と水道水との混合比を調節するようにしている。つまり、ここで、使用者が設定した設定温度となるように温度調節されている。
【００２８】
尚、これらの混合弁１５、１５ａは、給湯制御部４２に電気的に接続されており、上記出湯サーミスタ５２、５２ａ、給水サーミスタ５１および後述する貯湯サーミスタ５４により検出される温度情報に基づいて制御される。また、これらの混合弁１５、１５ａは出湯サーミスタ５２、５２ａにより検出される温度情報に基づいてフィードバック制御を行うように制御される。
【００２９】
そして、貯湯タンク１０の外壁面には、給湯用水の貯湯量、もしくは貯湯温度を検出するための水温センサである複数（本例では、５箇所）の貯湯サーミスタ５４が縦方向（タンクの高さ方向）にほぼ等間隔に配置され、貯湯タンク１０内に満たされた給湯用水の各水位レベルでの温度情報を給湯制御部４２に出力するようにしている。
【００３０】
従って、給湯制御部４２は、複数の貯湯サーミスタ５４からの温度情報に基づき、貯湯タンク１０内のうち沸き上げられた高温の給湯用水の位置（すなわち、残湯量）と、貯湯タンク１０内上方の沸き上げられた湯温と、貯湯タンク１０内下方の沸き上げられる前の低温の給湯用水との境界位置を検出することができるとともに、各水位レベルでの給湯用水の湯温が検出できる。尚、複数の貯湯サーミスタ５４のうち、最上部に設けられた貯湯サーミスタ５４は高温の給湯用水を出湯する出湯温度を検出する機能を有している。
【００３１】
次に、貯湯タンク１０内の給湯用水を加熱するヒートポンプ熱源機２０は、例えば、炭酸ガスを冷媒として使用することにより、高圧側の冷媒圧力が冷媒の臨界圧力以上となる超臨界ヒートポンプサイクルを使用している。このヒートポンプサイクルは、周知のように図示しない冷媒圧縮機、給湯用水加熱用の加熱熱交換器、膨張弁、冷媒蒸発器およびアキュムレータなどの冷凍サイクル機能部品より構成されている。ちなみに、冷媒圧縮機は、内蔵する電動モータによって駆動され、アキュムレータより吸引した気相冷媒を臨界圧力以上まで圧縮して吐出する。
【００３２】
加熱熱交換器は、冷媒と給湯用水とを熱交換するもので、例えば、冷媒が流れる冷媒通路と給湯用水が流れる給湯用水通路とが二重管構造に設けられ、且つ冷媒の流れ方向と給湯用水の流れ方向とが対向するように構成された対向流式の加熱熱交換器である。
【００３３】
膨張弁は、加熱熱交換器から流出する冷媒を減圧して冷媒蒸発器に供給する。冷媒蒸発器は、膨張弁で減圧された冷媒を大気との熱交換によって蒸発させる。アキュムレータは、冷媒蒸発器より流出する冷媒を気液分離して、気相冷媒のみ冷媒圧縮機に吸引させるとともに、サイクル中の余剰冷媒を蓄えている。
【００３４】
また、加熱熱交換器の給湯用水通路は、上述した給湯用水加熱回路２１を介して貯湯タンク１０に接続され、図示しない電動ポンプが作動することで、貯湯タンク１０内の給湯用水が循環する。尚、給湯用水加熱回路２１の上流端が貯湯タンク１０の底部１０ｃに接続され、給湯用水加熱回路２１の下流端が貯湯タンク１０の上部１０ｄに接続されている。これにより、加熱熱交換器で冷媒との熱交換により加熱された給湯用水が貯湯タンク１０の上部１０ｄへ送り込まれるため、貯湯タンク１０の上部側から下部側へ向かって順次給湯用水に蓄熱されてゆく。
【００３５】
尚、ヒートポンプ熱源機２０は熱源制御部４１からの制御信号により作動されるとともに、作動状態を熱源制御部４１に出力するようになっている。また、これらの動力源として交流電力を用い、主に料金設定の最も安い深夜時間帯における深夜電力を用いて、貯湯タンク１０内の給湯用水を沸き上げる蓄熱運転を行っているが、昼間時間帯においても給湯用水の湯温が低下してくると沸き上げ運転を行うよう制御される。ちなみに、超臨界ヒートポンプサイクルによれば、一般的なヒートポンプサイクルよりも高温（例えば、８５〜９０℃）の給湯用水を内部に貯えることができる。
【００３６】
次に、追い焚き機能を構成する構成部品についてより具体的に説明する。浴水追い焚き装置８０は、浴槽８９内の浴水を熱交換器３０の二次側回路である追い焚き用熱交換部３２に循環させて浴水を追い焚きする装置であり、往き管８２、戻り管８１およびバイパス管８３から構成された循環回路と、熱交換器３０の追い焚き用熱交換部３２とを接続する追い焚き回路３４、３５とが接続されている。
【００３７】
ちなみに、往き管８２側が追い焚き往き管３４に接続され、戻り管８１側が追い焚き戻り管３５に接続されている。また、往き管８２には、上流側から順に、水圧スイッチ８４、開閉弁８５、第２循環ポンプ８６、浴水温度検出手段としての浴水温度サーミスタ５５、流水スイッチ８７および追い焚き三方弁８８が設けられている。また、戻り管８１には、下流側に追い焚きサーミスタ５６が設けられている。
【００３８】
水圧スイッチ８４は、浴槽８９内に湯張りされた浴水の湯量、言い換えれば、浴槽８９内の水位レベルを求めるための水圧を検出するセンサである。開閉弁８５は浴水循環回路を開閉する電磁弁であり、第２循環ポンプ８６は浴槽８９内の浴水を追い焚き用熱交換部３２に圧送する電動ポンプである。浴水温度サーミスタ５５は、往き管８２を流通する浴水の湯温を検出する水温センサである。
【００３９】
流水スイッチ８７は、追い焚き三方弁８８側の方向に浴水および後述する給湯用水が流通しているか否かを検出するための流水センサである。この追い焚き三方弁８８は、浴水を追い焚き用熱交換部３２に流通させるか、追い焚き用熱交換部３２を迂回するバイパス管８３のいずれか一方に流通方向を切り換えるための切換弁である。追い焚きサーミスタ５６は、戻り管８１を流通する浴水の湯温を検出する水温センサであり、浴槽８９内に戻される浴水温度となる。
【００４０】
尚、水圧スイッチ８４、流水スイッチ８７、浴水温度サーミスタ５５および追い焚きサーミスタ５６は、それぞれの容積情報、流水情報および温度情報を給湯制御部４２に出力するようにされ、開閉弁８５、第２循環ポンプ８６および追い焚き三方弁８８は給湯制御部４２により制御される。
【００４１】
また、湯張り後に浴槽８９内の浴水の温度を検出するときは、追い焚き三方弁８８をバイパス管８３側に流れ方向を切り換えるとともに、第２循環ポンプ８６を作動させることで、浴槽８９内の浴水が往き管８２、バイパス管８３、戻り管８１、浴槽８９内の順に循環されて浴水温度サーミスタ５５により浴水の湯温を検出するようにしている。
【００４２】
また、追い焚きするときは、追い焚き三方弁８８の流れ方向を追い焚き用熱交換部３２側に切り換えることで、浴槽８９内の浴水が往き管８２、追い焚き用熱交換部３２、戻り管８１、浴槽８９内の順に循環されて、浴水温度サーミスタ５５により検出された浴水の湯温が所定温度になるまで循環させるように制御される。
【００４３】
次に、暖房機能を構成する構成部品についてより具体的に説明する。まず、床暖房ユニット６０Ａ、６０Ｂは、例えば、脱衣所や台所などの床に設置し、床パネル６１ａ、６１ｂ内の配管６３ａ、６３ｂに熱交換媒体となるブラインを流通させて被加熱物である床パネル６１ａ、６１ｂを暖める暖房装置であり、配管６１ａ、６１ｂに流通するブラインを開閉する熱動弁６２ａ、６２ｂ、床パネル６１ａ、６１ｂの出口側水温を検出する図示しない水温センサ、および水温センサにより検出された出口側水温に基づいて熱動弁６２ａ、６２ｂを制御する図示しない床暖房制御部から構成されている。
【００４４】
また、暖房ユニット７０Ａ、７０Ｂは、例えば、浴室内や洗面室内の被加熱流体である室内の空気を吸い込んで放熱器７１ａ、７１ｂで加熱させて、温風を吹き出して室内を暖房する暖房装置であり、放熱器７１ａ、７１ｂ、送風機７２ａ、７２ｂ、放熱器７１ａ、７１ｂに流通するブラインを開閉する開閉弁７３ａ、７３ｂ、吸い込み温度を検出する図示しない吸い込み温度センサおよび吸い込み温度センサにより検出された吸い込み温度に基づいて送風機７２ａ、７２ｂおよび開閉弁７３ａ、７３ｂを制御する図示しない暖房制御部などから構成されている。
【００４５】
暖房回路３６、３７は、暖房用熱交換部３０で熱交換されたブラインを床暖房ユニット６０Ａ、６０Ｂや暖房ユニット７０Ａ、７０Ｂに流通させる循環回路であり、３６が暖房往き管であり、３７が暖房戻り管である。そして、暖房回路３６、３７には、バイパス通路３６ａ、二次側循環手段としての第３循環ポンプ３８、供給温度検出手段としての供給温度サーミスタ５３ａおよび戻り温度検出手段としての戻り温度サーミスタ５３ｂなどが設けられている。尚、バイパス通路３６ａは、熱動弁６２や開閉弁７３が全て閉弁したときに床暖房ユニット６０Ａ、６０Ｂや暖房ユニット７０Ａ、７０Ｂを迂回するバイパス回路である。
【００４６】
第３循環ポンプ３８は、ブラインを暖房用熱交換部３３から床暖房ユニット６０Ａ、６０Ｂや暖房ユニット７０Ａ、７０Ｂに流通させる圧送手段であり、床暖房ユニット６０Ａ、６０Ｂや暖房ユニット７０Ａ、７０Ｂの使用台数に基づいて、給湯制御部４２により回転数が制御される。そして、供給温度サーミスタ５３ａは暖房用熱交換部３３を流通して熱交換後のブラインの水温を検出する水温センサであり、戻り温度サーミスタ５３ｂは床暖房ユニット６０Ａ、６０Ｂや暖房ユニット７０Ａ、７０Ｂを流通して熱交換後のブラインの水温を検出する水温センサであり、いずれのサーミスタも検出された温度情報を給湯制御部４２に出力するようになっている。
【００４７】
次に、熱交換器３０は、加熱側である一次側が１回路で構成され、加熱される側である二次側が複数の回路で構成された対向流式の熱交換器である。具体的には、図１に示すように、貯湯タンク１０内の貯えられた給湯用水が流通する一次側回路３１と浴水やブラインが流通する複数個（本実施形態では二つ）の二次側回路３２、３３から構成されている。
【００４８】
本実施形態の貯湯式給湯装置１では、図１に示すように、上方に配置した二次側回路３２を追い焚き用熱交換部３２と称して浴水追い焚き装置８０に接続し、下方に配置した二次側回路３３を暖房用熱交換部３３と称して暖房装置６０Ａ、６０Ｂ、７０Ａ、７０Ｂに接続している。
【００４９】
そして、熱交換器３０は、図１に示すように、一次側回路３１に貯湯タンク１０内の貯えられた給湯用水が流通するように１次側循環回路が往き管１６、戻り管１７および第１循環ポンプ１８などから構成されている。この往き管１６は、上流端が貯湯タンク１０の上方部１０ｅに接続され、下流端が一次側回路３１の流入部に接続されている。
【００５０】
また、戻し管１７は、上流端が一次側回路３１の流出側に接続され、下流端が貯湯タンク１０の下方部１０ｆに接続されている。第１循環ポンプ１８は、戻し管１７の中途に配置されており、貯湯タンク１０内の給湯用水を一次側回路３１に流通させるポンプである。尚、この第１循環ポンプ１８は、上述した追い焚きサーミスタ５６や供給温度サーミスタ５３ａにより検出された温度情報に基づいて回転数が制御されるように給湯制御部４２に電気的に接続されている。
【００５１】
一方、追い焚き用熱交換部３２は、その流入部が追い焚き戻り管３５に接続され、その流出部が追い焚き往き管３４に接続されて、一次側回路３１の流れ方向と対向する方向に浴水が流れることになる。暖房用熱交換部３３においても、同じように、その流入部と流出部とが暖房回路３６、３７に接続されて一次側回路３１の流れ方向と対向する方向にブラインが流れることになる。これにより、熱交換器３０は、図１に矢印で示すように、対向流式の熱交換器を形成している。
【００５２】
次に、給湯制御部４２は、マイクロコンピュータを主体として構成され、内蔵のＲＯＭには、予め設定された制御プログラムが設けられている。給湯制御部４２は、各サーミスタ５１〜５６からの温度情報、各流量カウンタ５７、５７ａからの流量情報、暖房リモコン９０ａ、台所リモコン９０ｂ、風呂リモコン９０ｃのそれぞれからの操作スイッチからの操作信号などに基づいて、給湯管１３、給湯用配管１４、１４ａ、浴水追い焚き装置８０、暖房回路３６、３７および戻り管１７内の各種アクチュエータ類を制御するように構成されている。
【００５３】
また、熱源制御部４１は、給湯制御部４２と同じように、マイクロコンピュータを主体として構成され、内蔵のＲＯＭには、予め設定された制御プログラムが設けられており、図示しない各種サーミスタからの温度情報などに基づいてヒートポンプ熱源機２０内のアクチュエータ類を制御する。この熱源制御部４１では、加熱熱交換器で加熱された給湯用水の湯温を一定温度に保つために、加熱後の給湯用水の温度を検出する貯湯サーミスタ（最上部）５４の検出温度に基づいて電動ポンプの回転数制御を行っている。
【００５４】
暖房リモコン９０ａは、床暖房ユニット６０Ａ、６０Ｂ、および暖房ユニット７０Ａ、７０Ｂの運転開始およびその停止を個別に遠隔操作するためのものであって、図２に示すように、選択スイッチ９１ａ、９１ｂ、９１ｃ、９１ｄ、決定スイッチ９２、および表示パネル９３を備える。台所リモコン９０ｂは、熱源制御部４１を制御して貯湯タンク１０内の給湯用水を加熱するための運転スイッチ、および浴槽８９内に湯張りをするための操作スイッチなどが設けられている。風呂リモコン９０ｃは、浴槽８９内の浴水を追い焚きするための追い焚きスイッチ等を備える。
【００５５】
次に、以上の構成による貯湯式給湯装置の作動概要について説明する。まず、台所リモコン９０ｂの運転スイッチがオンされると（例えば、深夜時間帯に達すると）、熱源制御部４１によりヒートポンプ熱源機２０内のヒートポンプサイクル部品と循環ポンプなどのアクチュエータ類を制御させて貯湯タンク１０内の給湯用水を加熱して高温（例えば８５℃）の給湯用水が貯えられる。
【００５６】
そして、貯湯タンク１０内に貯えられた給湯用水が台所、洗面所、浴室などへ給湯の用途に供されるとともに、熱交換器３０の一次側回路３１に貯えられた高温の給湯用水を流通させて、追い焚き用熱交換部３２を流通する浴水、および暖房用熱交換部３３を流通するブラインを加熱させて追い焚き機能および暖房機能の用途に供するものである。
【００５７】
まず、浴水を追い焚きする作動について説明する。風呂リモコン９０ｃの追い焚きスイッチを操作しておくと、所定時間毎に浴水温度を検出して、その浴水温度が追い焚き設定温度に未達であれば浴水を加熱するように作動する。つまり、給湯制御部４２により、所定時間後に追い焚き三方弁８８、開閉弁８５、第２循環ポンプ８６が作動して浴槽８９内の浴水を往き管８２、バイパス管８３、戻り管８１の順に循環させる。
【００５８】
このときに、浴水温度サーミスタ５５により浴水温を検出する。検出された浴水温が追い焚き設定温度以下であると、追い焚き三方弁８８の流れ方向を追い焚き用熱交換部３２側に切り換えられて浴水を追い焚き用熱交換部３２に流通させる。これにより、第１循環ポンプ１８が運転され、給湯用水が一次側回路３１に流通されて浴水が給湯用水熱エネルギを受けて加熱される。また、浴水と熱交換された給湯用水は貯湯タンク１０内に戻される。
【００５９】
そして、浴水温が設定温度に達すると、追い焚き三方弁８８の流れ方向がバイパス管８３側に切り換えられるとともに、開閉弁８５が閉弁、第２循環ポンプ８６および第１ポンプ１８が停止する。これにより、貯湯タンク１０内の給湯用水を加熱元として浴水が追い焚き設定温度を維持するように保温されるものである。
【００６０】
次に、床暖房ユニット６０Ａ、６０Ｂ、暖房ユニット７０Ａ、７０Ｂを運転したときの暖房装置の作動について説明する。
【００６１】
まず、暖房リモコン９０ａにおいて床暖房ユニット６０Ａを運転するための運転スイッチを操作すると熱動弁６２ａが開弁され、第３循環ポンプ３８が運転する。これにより、配管６１ａに加熱されたブラインが流通する。暖房リモコン９０ａにおいて床暖房ユニット６０Ｂを運転するための運転スイッチを操作すると熱動弁６２ｂが開弁され、配管６１ｂに加熱されたブラインが流通する。
【００６２】
また、暖房リモコン９０ａにおいて暖房ユニット７０Ａを運転するための運転スイッチを操作すると、開閉弁７３ａが開弁され、放熱器７１ａに加熱されたブラインが流通され、その後に送風機７２ａが作動して放熱器７１ａで室内空気が加熱される。同様に、暖房リモコン９０ａにおいて暖房ユニット７０Ｂを運転するための運転スイッチを操作すると、開閉弁７３ｂが開弁され、放熱器７１ｂに加熱されたブラインが流通され、その後に送風機７２ｂが作動して放熱器７１ｂで室内空気が加熱される。
【００６３】
そして、第３循環ポンプ３８の運転により暖房用熱交換部３３にブラインが流通する。一方、第１循環ポンプ１８の運転によって貯湯タンク１０内の高温の給湯用水が一次側回路３１に流通されて、ブラインが給湯用水の熱エネルギを受けて加熱される。また、ブラインと熱交換された給湯用水は貯湯タンク１０内に戻される。尚、ここでは、第１循環ポンプ１８および第３循環ポンプ３８は、供給温度サーミスタ５３ａによって検出されたブラインの湯温が所定温度となるように回転数を制御される。
【００６４】
これにより、一次側回路３１に流通する流量が設定されるとともに、暖房用熱交換部３３内を流通するブラインの流量が設定される。ちなみに、供給温度サーミスタ５３ａによって検出されたブラインの湯温の所定温度は、床暖房ユニット６０Ａ、６０Ｂと暖房ユニット７０Ａ、７０Ｂとでは異なるように設定され、例えば、床暖房ユニット６０が運転しているときは、約６０℃程度であり、暖房ユニット７０のみが運転しているときは約８０℃程度にしてある。これは、床暖房に最適となる温度帯の湯温を超えないようにしたものである。
【００６５】
そして、設定温度に達すると、熱動弁６２ａ、６２ｂもしくは開閉弁７３ａ、７３ｂが閉弁する。このときに、熱動弁６２ａ、６２ｂ、開閉弁７３ａ、７３ｂの全てが閉弁のときは、ブラインがバイパス通路３６ａを流通するようにしている。これにより、貯湯タンク１０内の給湯用水を加熱元として、暖房用熱交換部３３を流通するブラインを加熱することで、床暖房ユニット６０Ａ、６０Ｂや暖房ユニット７０Ａ、７０Ｂを暖房の用途に供することができる。なお、以下、床暖房ユニット６０Ａ、６０Ｂや暖房ユニット７０Ａ、７０Ｂを総称して暖房ユニット６０Ａ、６０Ｂ、７０Ａ、７０Ｂという。
【００６６】
次に、本実施形態の作動を説明する。給湯制御部４２は、暖房運転制御処理、リモコン表示処理、および優先機能設定処理をそれぞれ独立して実行する。以下、暖房運転制御処理、リモコン表示処理、および優先機能設定処理を別々に説明する。
【００６７】
（暖房運転制御処理）
図３は、本実施形態における給湯制御部４２の暖房運転制御処理を示すフローチャートである。暖房運転制御処理は、暖房ユニット６０Ａ、６０Ｂ、７０Ａ、７０Ｂのうち１つの暖房ユニットの運転を開始させる操作が暖房リモコン９０ａに対し行われると、開始される。以下、暖房ユニット６０Ａ、６０Ｂ、７０Ａ、７０Ｂのうち、暖房リモコン９０ａに対して運転を開始させる操作が施された上記１つの暖房ユニットを、運転操作対象の暖房ユニットという。
【００６８】
まず、ステップ１００において、給湯および暖房のうち給湯が優先されるように設定されているか否かを判定する。暖房よりも給湯が優先されるように設定されている場合には、ステップ１００でＮＯと判定する。
【００６９】
次に、ステップ１０１において、複数の貯湯サーミスタ５４の検出温度に基づいて、貯湯タンク１０の残湯が所定量未満であるか否かを判定する。
【００７０】
具体的には、複数の貯湯サーミスタ５４の検出温度に基づいて貯湯タンク１０内のうち沸き上げられた高温の給湯用水の水位レベルを求め、この水位レベルから貯湯タンク１０の残湯量を求めることになる。上記所定量は、暖房ユニット６０Ａ、６０Ｂ、７０Ａ、７０Ｂの使用限界量よりも多い残湯量である。貯湯タンク１０の残湯が所定量未満であるときには、ステップ１０１でＹＥＳと判定する。これに伴い、運転操作対象の暖房ユニットを停止する（ステップ１０２）。
【００７１】
一方、ステップ１０１において、貯湯タンク１０の残湯量が所定量以上であるときには、ＮＯと判定する。この場合、運転操作対象の暖房ユニットの運転をさせる（ステップ１０３）。
【００７２】
また、ステップ１００において、給湯よりも暖房が優先されるように設定されている場合には、ＹＥＳと判定する。これに伴い、ステップ１０４において、複数の貯湯サーミスタ５４の検出温度に基づいて、貯湯タンク１０の残湯量が少ないか否かを判定する。
【００７３】
貯湯タンク１０の残湯量が所定量未満であるときには、貯湯タンク１０の残湯量が少ないとしてステップ１０４においてＹＥＳと判定する。これに伴い、運転操作対象の暖房ユニットの運転する（ステップ１０５）。これに伴い、浴槽８９内に浴水を湯張りすることを禁止する（ステップ１０６）。つまり、湯張り用開閉弁５８を開けることを禁止する。一方、ステップ１０４において、貯湯タンク１０の残湯量が所定量以上であるときには、貯湯タンク１０の残湯が多いとしてＮＯと判定する。この場合、運転操作対象の暖房ユニットの運転をさせる（ステップ１０３）。
【００７４】
以上により、暖房よりも給湯が優先されて、かつ暖房ユニット６０Ａ、６０Ｂ、７０Ａ、７０Ｂのうち、例えば床暖房ユニット６０Ａの運転を開始させる操作が暖房リモコン９０ａに対し行われた場合、床暖房ユニット６０Ａが停止される。
【００７５】
一方、給湯よりも暖房が優先されて、かつ暖房ユニット６０Ａ、６０Ｂ、７０Ａ、７０Ｂのうち、例えば床暖房ユニット６０Ａの運転を開始させる操作が暖房リモコン９０ａに対し行われた場合、床暖房ユニット６０Ａが運転される。
【００７６】
（リモコン表示処理）
図４は、本実施形態における給湯制御部４２のリモコン表示処理を示すフローチャートである。
【００７７】
ステップ１１０において、複数の貯湯サーミスタ５４の検出温度に基づいて、貯湯タンク１０の残湯が所定量未満であるか否かを判定する。このとき、貯湯タンク１０の残湯が所定量未満であるときには、ステップ１１０においてＹＥＳと判定したときに、ステップ１１１に進んで、暖房が給湯よりも優先されるように設定されているか否かを判定する。
【００７８】
ここで、暖房よりも給湯が優先されるように設定されている場合、ステップ１１１でＮＯと判定して、暖房よりも給湯が優先されるように設定されている旨を優先機能情報として暖房リモコン９０ａの表示パネル９３に表示させる（ステップ１１２）。例えば、図２に示すように「給湯優先」を示す文字９５ａを表示パネル９３に表示させる。
【００７９】
また、給湯よりも暖房が優先されるように設定されている場合、ステップ１１１でＹＥＳと判定して、給湯よりも暖房が優先されるように設定されている旨を優先機能情報として暖房リモコン９０ａの表示パネル９３に表示させる（ステップ１１３）。例えば、図５に示すように「暖房優先」といった文字９５ｂを表示パネル９３に表示させる。
【００８０】
このように給湯および暖房のうちいずれが優先されるように設定されている旨が「給湯優先」或いは「暖房優先」といった文字で表示パネル９３に表示される。
【００８１】
次に、ステップ１１４において、貯湯タンク１０の残湯量を示す残湯量情報を暖房リモコン９０ａの表示パネル９３に表示させる。例えば、図２および図５に示すように、貯湯タンク１０の残湯量を示す図形９７を表示パネル９３に表示させる。図形９７は、横に延びるバーの個数で残湯量を示すものである。図２および図５では、５個のバーを表示して、残湯量が最高レベルになっている旨を示している。
【００８２】
次に、ステップ１１５では、複数の貯湯サーミスタ５４の検出温度に基づく残湯の温度、タイマー設定時間、現時刻等を文字９７、９８、９９、１００で表示パネル９３に表示させる。
【００８３】
また、上記ステップ１１０において、複数の貯湯サーミスタ５４の検出温度に基づいて、貯湯タンク１０の残湯が所定量以上であるときには、ＮＯと判定して、ステップ１１４に進む。
【００８４】
（優先機能設定処理）
図６は、本実施形態における給湯制御部４２の優先機能設定処理を示すフローチャートである。優先設定処理は、暖房リモコン９０ａによって暖房および給湯のうちいずれか一方の運転を優先させることを設定するための処理である。
【００８５】
まず、ステップ１２０において、給湯を優先機能とすることを決定する操作が使用者によって施されたか否かを判定する。
【００８６】
例えば、暖房リモコン９０ａの表示パネル９３において、使用者に対して優先機能を選択させるための画面（図７参照）を表示させた状態で、選択スイッチ９１ｂ、９１ｄへの操作によって、画面内のカーソルＫを「給湯優先」を示す文字９４ｇに重ねて表示して、決定スイッチ９２が操作されたとき、給湯を優先機能とすることを決定する操作が使用者によって施されたとして、ステップ１２０でＹＥＳと判定する。これに伴い、上記選択された給湯を優先機能とすることを設定する（ステップ１２２）。つまり、暖房よりも給湯を優先して運転させることを決定する。
【００８７】
一方、暖房リモコン９０ａの表示パネル９３において、使用者に対して優先機能を選択させるための画面（図７参照）を表示させた状態で、選択スイッチ９１ｂ、９１ｄへの操作によって、画面内のカーソルＫを「暖房優先」を示す文字９４ｈに重ねて表示して、決定スイッチ９２が操作されたとき、給湯を暖房機能とすることを決定する操作が使用者によって施されたとして、ステップ１２０でＮＯと判定する。これに伴い、上記選択された暖房を優先機能とすることを設定する（ステップ１２１）。つまり、給湯よりも暖房を優先して運転させることを決定する。
【００８８】
以上説明した本実施形態によれば、貯湯式給湯装置１は、ヒートポンプ熱源機２０によって加熱されたお湯を蓄える貯湯タンク１０を備え、給湯制御部４２が貯湯タンク１０内の残湯量が所定量未満であると判定したとき、貯湯タンク１０内の残湯を熱源とする給湯および暖房のうち１つの機能を優先して運転させることができる。したがって、貯湯式給湯装置１において、貯湯タンク１０内の残湯が少なくなったとき、自動的に給湯および暖房のうち１つの機能を優先して運転させることができる。これにより、貯湯タンク１０内の残湯を有効利用して給湯や暖房を実施することができる。
【００８９】
本実施形態では、給湯制御部４２は、暖房リモコン９０ａの表示パネル９３に貯湯タンク１０内の残湯量情報や優先機能情報を表示させる。したがって、暖房運転を始める前に、暖房運転が可能な状態であるか否かを使用者に知らせることができる。これにより、貯湯式給湯装置１の利便性を向上させることができる。
（第２実施形態）
上記第１実施形態では、季節に関係なく、給湯および暖房のうち一方を他方よりも優先して運転する例について説明したが、これに代えて、冬季にのみ暖房を給湯に優先して運転する例について説明する。
【００９０】
本実施形態と上記第１実施形態とでは、暖房運転制御処理および優先機能設定処理が相違する。そこで、本実施形態の作動の説明として、本実施形態の暖房運転制御処理および優先機能設定処理について説明する。
【００９１】
（暖房運転制御処理）
図８は、本実施形態における給湯制御部４２の暖房運転制御処理を示すフローチャートである。図８のフローチャートは、図３のフローチャートに代えて用いられる。図８において、図３と同一符号は同一ステップを示す。
【００９２】
まず、ステップ１００において、給湯および暖房のうち給湯が優先されるように設定されているか否かを判定する。暖房よりも給湯が優先されるように設定されている場合には、ステップ１００でＮＯと判定する。この場合、上記第１実施形態と同様に、ステップ１０１、１０２の処理、或いは、ステップ１０１、１０３の処理を実行する。これにより、貯湯タンク１０の残湯が所定量未満であるときには、運転操作対象の暖房ユニットを停止する。一方、貯湯タンク１０の残湯量が所定量以上であるときには、運転操作対象の暖房ユニットの運転をさせる。
【００９３】
また、上記ステップ１００において、給湯よりも暖房が優先されるように設定されている場合には、ＹＥＳと判定する。これに伴い、次のステップ１０４において、複数の貯湯サーミスタ５４の検出温度に基づいて、貯湯タンク１０の残湯が所定量未満であるか否かを判定する。
【００９４】
このとき、貯湯タンク１０の残湯が所定量以上である場合には、ステップ１０４において、ＮＯと判定する。これに伴い、次のステップ１０３において、運転操作対象の暖房ユニットを運転させる。
【００９５】
一方、上記ステップ１０４において、貯湯タンク１０の残湯が所定量未満である場合には、ＹＥＳと判定する。このとき、ステップ１０４ａにおいて、現在の季節が夏季（６月、７月、８月）であるか否かを判定する。
【００９６】
このとき、現在の季節が夏季であるときには、ステップ１０４ａにおいて、ＹＥＳと判定する。これに伴い、次のステップ１０２ａにおいて、運転操作対象の暖房ユニットの運転を停止させる。
【００９７】
一方、上記ステップ１０４ａにおいて、現在の季節が夏季以外の季節であるときにはＮＯと判定する。これに伴い、ステップ１０４ｂにおいて、現在の季節が冬季（１２月、１月、２月）であるか否かを判定する。このとき、現在の季節が冬季であるときには、ステップ１０４ｂでＹＥＳと判定する。これに伴い、次のステップ１０５ａにおいて、運転操作対象の暖房ユニットを運転させる。これに加えて、次のステップ１０５ｂにおいて、浴槽８９内に浴水を湯張りすることを禁止する。つまり、お湯張り用混合弁１５ａを開けることを禁止する。
【００９８】
また、上記ステップ１０４ａ、１０４ｂにおいて、現在の季節が夏季、冬季以外の他の季節（３月〜５月、９月〜１１月）であるときにはＮＯと判定する。これに伴い、次のステップ１０２ｂにおいて、運転操作対象の暖房ユニットの運転を停止させる。
【００９９】
（優先機能設定処理）
図９は、本実施形態における給湯制御部４２の優先機能設定処理を示すフローチャートである。
【０１００】
まず、ステップ１２３ａにおいて、使用者に対して冬季に暖房運転を実施することを選択させる操作が施されたか否かを判定する。つまり、冬季に暖房を給湯よりも優先する操作が使用者によって施されたか否かを判定することになる。
【０１０１】
例えば、暖房リモコン９０ａの表示パネル９３において、使用者に対して季節に応じて暖房を優先させるか否かを選択させるための画面（図１０参照）を表示させた状態で、選択スイッチ９１ｂ、９１ｄへの操作によって、画面内のカーソルＫを「冬季運転」を示す文字９４ｊに重ねて表示して、決定スイッチ９２が操作されたとき、冬季に暖房運転を実施することを選択する操作が使用者によって施されたとしてステップ１２３ａにおいてＹＥＳと判定する。つまり、冬季に暖房を給湯よりも優先する操作が施されたと判定する。これに伴い、冬季に暖房運転を実施することを設定する（ステップ１２５ａ）。つまり、冬季に暖房を給湯よりも優先することを決定することになる。
【０１０２】
上記ステップ１２３ａにおいて、冬季に暖房運転を実施することを選択する操作が使用者によって施されなかった場合にはＮＯと判定する。これに伴い、ステップ１２３ｂにおいて、夏季に暖房を禁止することを選択する操作が使用者によって施されたか否かを判定する。つまり、夏季に暖房よりも給湯を優先する操作が使用者によって施されたか否かを判定することになる。
【０１０３】
例えば、暖房リモコン９０ａの表示パネル９３において、使用者に対して季節に応じて暖房を優先させるか否かを選択させるための画面（図１０参照）を表示させた状態で、選択スイッチ９１ｂ、９１ｄへの操作によって、画面内のカーソルＫを「夏季禁止」を示す文字９４ｍに重ねて表示して、決定スイッチ９２が操作されたとき、夏季に暖房を禁止することを選択する操作が使用者によって施されたとしてステップ１２３ｂにおいてＹＥＳと判定する。つまり、夏季に給湯を暖房よりも優先する操作が施されたと判定する。
【０１０４】
これに伴い、夏季に暖房を禁止することを設定する（ステップ１２５ｂ）。つまり、夏季に給湯を暖房よりも優先することを決定することになる。
【０１０５】
上記ステップ１２３ｂにおいて、夏季に暖房を禁止することを操作が使用者によって施されなかった場合にはＮＯと判定する。これに伴い、ステップ１２３ｃにおいて、その他の季節に暖房を禁止することを選択する操作が使用者によって施されたか否かを判定する。つまり、その他の季節に暖房よりも給湯を優先する操作が施されたか否かを判定することになる。
【０１０６】
例えば、暖房リモコン９０ａの表示パネル９３において、使用者に対して季節に応じて暖房を優先させるか否かを選択させるための画面（図１０参照）を表示させた状態で、選択スイッチ９１ｂ、９１ｄへの操作によって、画面内のカーソルＫを「他の季節禁止」を示す文字９４ｋに重ねて表示して、決定スイッチ９２が操作されたとき、その他の季節に暖房を禁止することを選択する操作が使用者によって施されたとしてステップ１２３ｃにおいてＹＥＳと判定する。つまり、その他の季節に給湯を暖房よりも優先する操作が施されたと判定する。
【０１０７】
これに伴い、その他の季節に暖房を禁止することを設定する（ステップ１２５ｃ）。つまり、その他の季節に給湯を暖房よりも優先することを決定することになる。
【０１０８】
以上説明した本実施形態によれば、冬季には、暖房を給湯よりも優先して運転し、夏季には、暖房よりも給湯を優先して運転することができる。
【０１０９】
（第３実施形態）
本実施形態では、上記第１実施形態において、４つの部屋のうち他の部屋よりも優先して暖房する部屋を設定する例について説明する。
【０１１０】
本実施形態では、貯湯式給湯装置１は、リビングルーム、ダイニングルーム、寝室１、寝室２といった４つの部屋を床暖房ユニット６０Ａ、６０Ｂや暖房ユニット７０Ａ、７０Ｂによって独立して暖房する。そして、リビングルーム、ダイニングルーム、寝室１、寝室２のうち他の３つの部屋よりも優先して暖房する部屋を予め設定する。つまり、暖房ユニット６０Ａ、６０Ｂ、７０Ａ、７０Ｂのうち他の３つの暖房ユニットよりも優先して運転させる１つの暖房ユニットを設定する。
【０１１１】
本実施形態と上記第１実施形態とでは、暖房運転制御処理および優先機能設定処理が相違する。そこで、本実施形態の作動の説明として、本実施形態の暖房運転制御処理および優先機能設定処理について説明する。
【０１１２】
（暖房運転制御処理）
図１１は、本実施形態における給湯制御部４２の暖房運転制御処理を示すフローチャートである。図１１のフローチャートは、図３のフローチャートに代えて用いられる。図１１において、図３と同一符号は同一ステップを示す。暖房運転制御処理は、暖房ユニット６０Ａ、６０Ｂ、７０Ａ、７０Ｂを全て開始させる操作が暖房リモコン９０ａに対し行われると、開始される。
【０１１３】
まず、ステップ１０４において、複数の貯湯サーミスタ５４の検出温度に基づいて、貯湯タンク１０の残湯が所定量未満であるか否かを判定する。このとき、貯湯タンク１０の残湯が所定量未満である場合には、ＹＥＳと判定する。
【０１１４】
次に、ステップ１００ａにおいて、４つの部屋のうちリビングルームが他の３つの部屋よりも優先順位が高く設定されているか否かを判定する。このとき、４つの部屋のうちリビングルームが他の３つの部屋よりも優先順位が高く設定されている場合には、ステップ１００ａにおいてＹＥＳと判定する。これに伴い、ステップ１０３ａにおいて、床暖房ユニット６０Ａを運転して暖房ユニット６０Ｂ、７０Ａ、７０Ｂを停止する。これにより、リビングルームを暖房し、かつダイニングルーム、および寝室１、寝室２のそれぞれの暖房を停止する。
【０１１５】
上記ステップ１００ａにおいて、４つの部屋のうちリビングルームが他の３つの部屋よりも優先順位が高く設定されていない場合には、ＮＯと判定する。これに伴い、ステップ１００ｂにおいて、４つの部屋のうちダイニングルームが他の３つの部屋よりも優先順位が高く設定されているか否かを判定する。このとき、４つの部屋のうちダイニングルームが他の３つの部屋よりも優先順位が高く設定されている場合には、ステップ１００ｂにおいてＹＥＳと判定する。これに伴い、ステップ１０３ｂにおいて、床暖房ユニット６０Ｂを運転して暖房ユニット６０Ａ、７０Ａ、７０Ｂを停止する。これにより、ダイニングルームを暖房し、かつリビングルーム、および寝室１、寝室２のそれぞれの暖房を停止する。
【０１１６】
上記ステップ１００ｂにおいて、４つの部屋のうちダイニングルームが他の３つの部屋よりも優先順位が高く設定されていない場合には、ＮＯと判定する。これに伴い、ステップ１００ｃにおいて、４つの部屋のうち寝室１が他の３つの部屋よりも優先順位が高く設定されているか否かを判定する。このとき、４つの部屋のうち寝室１が他の３つの部屋よりも優先順位が高く設定されている場合には、ステップ１００ｃにおいてＹＥＳと判定する。これに伴い、ステップ１０３ｃにおいて、暖房ユニット７０Ａを運転して暖房ユニット６０Ａ、６０Ｂ、７０Ｂを停止する。これにより、寝室１を暖房し、かつリビングルーム、およびリビングルーム、寝室２のそれぞれの暖房を停止する。
【０１１７】
上記ステップ１００ｃにおいて、４つの部屋のうち寝室１が他の３つの部屋よりも優先順位が高く設定されていない場合には、ＮＯと判定する。これに伴い、ステップ１００ｄにおいて、４つの部屋のうち寝室２が他の３つの部屋よりも優先順位が高く設定されているか否かを判定する。このとき、４つの部屋のうち寝室２が他の３つの部屋よりも優先順位が高く設定されている場合には、ステップ１００ｄにおいてＹＥＳと判定する。これに伴い、ステップ１０３ｄにおいて、暖房ユニット７０Ｂを運転して暖房ユニット６０Ａ、６０Ｂ、７０Ａを停止する。これにより、寝室２を暖房し、かつリビングルーム、およびリビングルーム、寝室１のそれぞれの暖房を停止する。
【０１１８】
上記ステップ１００ｄにおいて、４つの部屋のうち寝室２が他の３つの部屋よりも優先順位が高く設定されていない場合には、ＮＯと判定する。つまり、暖房よりも給湯を優先していることになる。これに伴い、ステップ１０８において、暖房ユニット６０Ａ、６０Ｂ、７０Ａ、７０Ｂをそれぞれ停止させてリビングルーム、ダイニングルーム、寝室１、寝室２のそれぞれの暖房を停止させる。
【０１１９】
なお、上記ステップ１０４において、貯湯タンク１０の残湯が所定量以上である場合には、ＮＯと判定する。これに伴い、次のステップ１０３ｅにおいて、暖房ユニット６０Ａ、６０Ｂ、７０Ａ、７０Ｂをそれぞれ運転させてリビングルーム、ダイニングルーム、寝室１、寝室２を全て暖房させる。
【０１２０】
（優先機能設定処理）
図１２は、本実施形態における給湯制御部４２の優先機能設定処理を示すフローチャートである。
【０１２１】
まず、ステップ１３０において、４つの部屋のうちリビングルームを他の３つの部屋よりも優先して運転させる操作が使用者によって施されたか否かを判定する。
【０１２２】
例えば、暖房リモコン９０ａの表示パネル９３において、使用者に対して４つの部屋のうち優先して暖房する部屋を選択させるための画面（図１３参照）を表示させた状態で、選択スイッチ９１ｂ、９１ｄへの操作によって、画面内のカーソルＫを「リビング優先」を示す文字９５ｂに重ねて表示して、決定スイッチ９２が操作されたとき、４つの部屋のうちリビングルームを他の３つの部屋よりも優先して運転させる操作が施されたとしてステップ１３０でＹＥＳと判定する。これに伴い、４つの部屋のうちリビングルームを他の３つの部屋よりも優先して運転させることを設定する（ステップ１３１）。これに伴い、ステップ１３２において、４つの部屋のうちリビングルームを他の３つの部屋よりも優先して暖房させる旨を示す文字９４ａ（図１４参照）を優先機能情報として暖房リモコン９０ａの表示パネル９３に表示させる。
【０１２３】
まず、ステップ１３０において、４つの部屋のうちリビングルームを他の３つの部屋よりも優先して運転させる操作が使用者によって施されていない場合には、ＮＯと判定する。これに伴い、ステップ１３３において、４つの部屋のうちダイニングルームを他の３つの部屋よりも優先して運転させる操作が使用者によって施されたか否かを判定する。
【０１２４】
例えば、暖房リモコン９０ａの表示パネル９３において、使用者に対して４つの部屋のうち優先して暖房する部屋を選択させるための画面（図１３参照）を表示させた状態で、選択スイッチ９１ｂ、９１ｄへの操作によって、画面内のカーソルＫを「ダイニング優先」を示す文字９５ａに重ねて表示して、決定スイッチ９２が操作されたとき、４つの部屋のうちダイニングルームを他の３つの部屋よりも優先して運転させる操作が施されたとしてステップ１３０でＹＥＳと判定する。これに伴い、ステップ１３５において、４つの部屋のうちダイニングルームを他の３つの部屋よりも優先して暖房させる旨を示す文字を優先機能情報として暖房リモコン９０ａの表示パネル９３に表示させる。
【０１２５】
次に、ステップ１３３において、４つの部屋のうちダイニングルームを他の３つの部屋よりも優先して運転させる操作が施されていない場合には、ＮＯと判定する。これに伴い、ステップ１３６において、４つの部屋のうち寝室１を他の３つの部屋よりも優先して運転させる操作が使用者によって施されたか否かを判定する。
【０１２６】
例えば、暖房リモコン９０ａの表示パネル９３において、使用者に対して４つの部屋のうち優先して暖房する部屋を選択させるための画面（図１３参照）を表示させた状態で、選択スイッチ９１ｂ、９１ｄへの操作によって、画面内のカーソルＫを「寝室１優先」を示す文字９５ｃに重ねて表示して、決定スイッチ９２が操作されたとき、４つの部屋のうち寝室１を他の３つの部屋よりも優先して運転させる操作が施されたとしてステップ１３６でＹＥＳと判定する。これに伴い、ステップ１３８において、４つの部屋のうち寝室１を他の３つの部屋よりも優先して暖房させる旨を示す文字を優先機能情報として暖房リモコン９０ａの表示パネル９３に表示させる。
【０１２７】
次に、ステップ１３６において、４つの部屋のうち寝室１を他の３つの部屋よりも優先して運転させる操作が使用者によって施されていない場合には、ＮＯと判定する。これに伴い、ステップ１３９において、４つの部屋のうち寝室２を他の３つの部屋よりも優先して運転させる操作が使用者によって施されたか否かを判定する。
【０１２８】
例えば、暖房リモコン９０ａの表示パネル９３において、使用者に対して４つの部屋のうち優先して暖房する部屋を選択させるための画面（図１３参照）を表示させた状態で、選択スイッチ９１ｂ、９１ｄへの操作によって、画面内のカーソルＫを「寝室２優先」を示す文字９５ｄに重ねて表示して、決定スイッチ９２が操作されたとき、４つの部屋のうち寝室２を他の３つの部屋よりも優先して運転させる操作が施されたとしてステップ１３９でＹＥＳと判定する。これに伴い、ステップ１４１において、４つの部屋のうち寝室２を他の３つの部屋よりも優先して暖房させる旨を示す文字を優先機能情報として暖房リモコン９０ａの表示パネル９３に表示させる。
【０１２９】
以上説明した本実施形態によれば、リビングルーム、ダイニングルーム、寝室１、寝室２のうち他の３つの部屋よりも優先して暖房する優先部屋を予め設定する。これにより、４つの部屋のうち１つの優先部屋だけを暖房して、他の３つの部屋の暖房を停止することになる。つまり、部屋毎に独立して暖房する暖房ユニット６０Ａ、６０Ｂ、７０Ａ、７０Ｂのうち３つの暖房ユニットよりも優先して運転させる暖房ユニット（以下、優先運転暖房ユニットという）を決めておき、暖房ユニット６０Ａ、６０Ｂ、７０Ａ、７０Ｂのうち優先運転暖房ユニットだけを運転し、かつ他の３つの暖房ユニットの暖房を停止させることができる。
【０１３０】
（第４実施形態）
上記第３実施形態では、４つの部屋のうち３つの部屋よりも優先して運転させる１つの部屋だけを運転させる例について説明したが、本第４実施形態では、４つの部屋に対して暖房運転させる優先順位を設定して、この優先順位に応じて４つの部屋のうち運転させる１つの部屋を決める例について説明する。
【０１３１】
以下、本実施形態では、暖房運転制御処理および優先機能設定処理について説明する。説明の便宜上、ダイニングルームの優先順位を１とし、寝室１の優先順位を２とし、リビングルームの優先順位を３とし、寝室２の優先順位を４とする。
【０１３２】
（暖房運転制御処理）
図１５は、本実施形態における給湯制御部４２の暖房運転制御処理を示すフローチャートである。図１５のフローチャートは、図１１のフローチャートに代えて用いられる。図１５において、図１１と同一符号は同一ステップを示す。暖房運転制御処理は、暖房ユニット６０Ｂによってリビングルームの暖房を開始させる操作が暖房リモコン９０ａに対して行われると、開始される。
【０１３３】
まず、ステップ１０４において、複数の貯湯サーミスタ５４の検出温度に基づいて、貯湯タンク１０の残湯が所定量未満であるか否かを判定する。このとき、貯湯タンク１０の残湯が所定量未満である場合には、ＹＥＳと判定する。
【０１３４】
次に、ステップ１５０において、優先順位が１であるダイニングルームを暖房中であるか否かを判定する。つまり、床暖房ユニット６０Ａが運転中であるか否かを判定する。
【０１３５】
ここで、床暖房ユニット６０Ａが運転中であるときには、優先順位が１であるダイニングルームを暖房中であるとして、ステップ１５０でＹＥＳと判定する。この場合、暖房ユニット６０Ｂによるリビングルームの暖房を停止する（ステップ１５３）。
【０１３６】
上記ステップ１５０において、優先順位が１であるダイニングルームを暖房していない場合には、ＮＯと判定して、次のステップ１５１において、優先順位が２である寝室１を暖房中であるか否かを判定する。つまり、暖房ユニット７０Ａが運転中であるか否かを判定する。
【０１３７】
ここで、暖房ユニット７０Ａが運転中であるときには、優先順位が２である寝室２を暖房中であるとして、ステップ１５１でＹＥＳと判定する。この場合、暖房ユニット６０Ｂによるリビングルームの暖房を停止する（ステップ１５４）。
【０１３８】
上記ステップ１５１において、優先順位が２である寝室１を暖房していない場合には、ＮＯと判定する。つまり、リビングルームよりも優先順位が高いダイニングルームおよび寝室１の暖房が行われていないと判定することになる。この場合、暖房ユニット６０Ｂによるリビングルームの暖房の運転を開始する（ステップ１５２）。
【０１３９】
なお、上記ステップ１０４において、複数の貯湯サーミスタ５４の検出温度に基づいて、貯湯タンク１０の残湯が所定量以上であるときには、ＹＥＳと判定して、暖房ユニット６０Ｂによるリビングルームの暖房の運転を開始する（ステップ１５５）。
【０１４０】
（優先機能設定処理）
図１６は、本実施形態における給湯制御部４２の優先機能設定処理を示すフローチャートである。
【０１４１】
まず、ステップ１６０において、使用者によってリビングルームの優先順位を選択させる操作が施されたか否かを判定する。
【０１４２】
例えば、暖房リモコン９０ａの表示パネル９３において、使用者に対してリビングルームの優先順位を選択させるための画面（図１７参照）を表示させ、選択スイッチ９１ｂ、９１ｄへの操作によって、画面内のカーソルＫ１を「リビング」を示す文字２００に重ねて、かつ画面内の「優先４」、「優先３」、「優先２」、「優先１」を示す文字２０４〜２０７のうち１つの文字にカーソルＫ２を重ねた状態で、決定スイッチ９２が操作されたとき、リビングルームの優先順位を選択させる操作が施されたとしてＹＥＳと判定する。
【０１４３】
例えば、画面内のカーソルＫ１を「リビング」を示す文字２００に重ねて、かつ「優先３」を示す文字２０４にカーソルＫ２を重ねた状態で、決定スイッチ９２が操作されたとき、リビングルームの優先順位を３と設定する（ステップ１６１）。
【０１４４】
上記ステップ１６０において、使用者によってリビングルームの優先順位を選択する操作が使用者によって施されなかったときには、ＮＯと判定する。次に、ステップ１６２において、使用者によってダイニングルームの優先順位を選択させる操作が施されたか否かを判定する。
【０１４５】
例えば、暖房リモコン９０ａの表示パネル９３において、使用者に対してダイニングルームの優先順位を選択させるための画面（図１７参照）を表示させ、選択スイッチ９１ｂ、９１ｄへの操作によって、画面内のカーソルＫ１を「ダイニング」を示す文字２０１に重ねて、かつ画面内の「優先４」、「優先３」、「優先２」、「優先１」を示す文字２０４〜２０７のうち１つの文字にカーソルＫ２を重ねた状態で、決定スイッチ９２が操作されたとき、ダイニングルームの優先順位を選択させる操作が使用者によって施されたとしてＹＥＳと判定する。
【０１４６】
例えば、画面内のカーソルＫ１を「ダイニング」を示す文字２０１に重ねて、かつ「優先１」を示す文字２０６にカーソルＫ２を重ねた状態で、決定スイッチ９２が使用者によって操作されたとき、リビングルームの優先順位を１と設定する（ステップ１６３）。
【０１４７】
上記ステップ１６２において、使用者によってダイニングルームの優先順位を選択させる操作が使用者によって施されなかったときには、ＮＯと判定する。次に、ステップ１６４において、使用者によって寝室１の優先順位を選択させる操作が施されたか否かを判定する。
【０１４８】
例えば、暖房リモコン９０ａの表示パネル９３において、使用者に対してダイニングルームの優先順位を選択させるための画面（図１７参照）を表示させ、選択スイッチ９１ｂ、９１ｄへの操作によって、画面内のカーソルＫ１を「寝室１」を示す文字２０２に重ねて、かつ画面内の「優先４」、「優先３」、「優先２」、「優先１」を示す文字２０４〜２０７のうち１つの文字にカーソルＫ２を重ねた状態で、決定スイッチ９２が操作されたとき、寝室１の優先順位を選択させる操作が使用者によって施されたとしてＹＥＳと判定する。
【０１４９】
例えば、画面内のカーソルＫ１を「寝室１」を示す文字２０２に重ねて、かつ「優先２」を示す文字２０７にカーソルＫ２を重ねた状態で、決定スイッチ９２が操作されたとき、リビングルームの優先順位を２と設定する（ステップ１６５）。
【０１５０】
例えば、暖房リモコン９０ａの表示パネル９３において、使用者に対して寝室２の優先順位を選択させるための画面（図１７参照）を表示させ、選択スイッチ９１ｂ、９１ｄへの操作によって、画面内のカーソルＫ１を「寝室２」を示す文字２０５に重ねて、かつ画面内の「優先４」、「優先３」、「優先２」、「優先１」を示す文字２０４〜２０７のうち１つの文字にカーソルＫ２を重ねた状態で、決定スイッチ９２が操作されたとき、寝室２の優先順位を選択させる操作が使用者によって施されたとしてＹＥＳと判定する。
【０１５１】
例えば、画面内のカーソルＫ１を「寝室２」を示す文字２０３に重ねて、かつ「優先４」を示す文字２０７にカーソルＫ２を重ねた状態で、決定スイッチ９２が操作されたとき、リビングルームの優先順位を４と設定する（ステップ１６７）。
【０１５２】
このように選択スイッチ９１ｂ、９１ｄへの操作によるカーソルＫ１、Ｋ２による選択によってリビングルーム、ダイニングルーム、寝室１、寝室２の優先順位を設定することができる。
【０１５３】
以上説明した本実施形態によれば、４つの部屋をそれぞれ独立して暖房する暖房ユニット６０Ａ、６０Ｂ、７０Ａ、７０Ｂに優先順位を設定する。使用者が暖房リモコン９０ａに対してリビングルームを暖房させるように操作したときに、リビングルームよりも優先順位が高いダイニングルームおよび寝室１が運転していないときに、リビングルームの暖房を開始させる。一方、暖房リモコン９０ａによりリビングルームを暖房させるように操作したときに、リビングルームよりも優先順位が高いダイニングルームおよび寝室１が運転しているときに、リビングルームの暖房を停止させることができる。
【０１５４】
（第５実施形態）
本第５実施形態では、上記第１実施形態において、貯湯タンク１０内の残湯が所定量未満になると、料金設定の最も安い深夜時間帯でなくても、貯湯タンク１０内の残湯を増加させる制御、いわゆる“タンク増し”を開始させることを可能にする例について説明する。
【０１５５】
以下、本実施形態において、給湯制御部４２のタンク増し制御処理について図１８、図１９を参照して説明する。タンク増し制御処理は、貯湯タンク１０内の残湯を増加させるための制御処理である。
【０１５６】
まず、ステップ１７０において、複数の貯湯サーミスタ５４の検出温度に基づいて、貯湯タンク１０の残湯が所定量未満であるか否かを判定する。
【０１５７】
このとき、貯湯タンク１０の残湯が所定量未満であるときにはステップ１７０においてＹＥＳと判定する。これに伴い、次のステップ１７１において、暖房リモコン９０ａの表示パネル９３において、タンク増し制御処理の開始を使用者に対して促すための画面（図１９参照）を表示させる。つまり、暖房リモコン９０ａにおいて貯湯タンク１０内の残湯量を増加させるための操作を使用者に対して促進させるための情報を表示パネル９３に表示させる。
【０１５８】
次に、ステップ１７２において、暖房リモコン９０ａにおいて、タンク増し制御処理を開始させる操作が施されたか否かを判定する。
【０１５９】
例えば、タンク増し制御処理の開始を使用者に対して促すための画面上において、選択スイッチ９１ｂ、９１ｄへの操作によって「タンク増しをする」を意味する文字２１０にカーソルＫを重ねて、決定スイッチ９２が操作されたとき、タンク増し制御処理を開始させる操作が施されたとしてＹＥＳと判定する。
【０１６０】
これに伴い、ステップ１７３において、タンク増し制御処理を開始させる。具体的には、開閉弁５１ａを開弁して給水用配管１２から給水口１０ａを通して貯湯タンク１０内に給水を流入させる。この後、貯湯タンク１０内の貯水量が最高レベルになるまで貯湯タンク１０内への給水の流入を継続する。
【０１６１】
この場合、給水用配管１２を流れる給水量を計測する流量カウンタ５１ｂを用いて貯湯タンク１０内に流入する給水量を計測して貯湯タンク１０内に流入させる給水量を制御する。このように貯湯タンク１０内に給水を流入した後、開閉弁５１ａを閉弁する。そして、熱源制御部４１を通してヒートポンプ熱源機２０の沸き上げ運転を開始させる。これに伴い、ヒートポンプ熱源機２０が貯湯タンク１０内の給湯用水を加熱する。その後、貯湯サーミスタ５４の検出温度に応じて貯湯タンク１０内の残湯の温度が所定温度以上になると判定されると、ヒートポンプ熱源機２０の沸き上げ運転を停止する。これにより、貯湯タンク１０内の残湯が増加させることになる。
【０１６２】
なお、上記ステップ１７２において、暖房リモコン９０ａにおいて、タンク増し制御処理を開始させる操作が施されなかったときにはＮＯと判定する。これに伴い、タンク増し制御処理を開始しない。
【０１６３】
例えば、表示パネル９３における使用者に対してタンク増し制御処理の開始を促すための画面上において、選択スイッチ９１ｂ、９１ｄへの操作によって「タンク増しをしない」を意味する文字２１１にカーソルＫを重ねて、決定スイッチ９２が操作されたとき、タンク増し制御処理を開始させる操作が施されていないとしてＮＯと判定する。
【０１６４】
以上説明した本実施形態によれば、貯湯タンク１０内の残湯が所定量未満になると、使用者による暖房リモコン９０ａへの操作に応じて貯湯タンク１０内の残湯を増加させることができる。これにより、上記第１〜第４実施形態で説明した暖房運転制御処理が実行されなくなるので、給湯や暖房を自由に実施することができる。
【０１６５】
（他の実施形態）
上記第１実施形態では、貯湯タンク１０内の残湯が所定量未満になると、暖房リモコン９０ａの表示パネル９３に優先機能情報を表示させる例について説明したが、これに代えて、貯湯タンク１０内の残湯量に関係なく、暖房リモコン９０ａの表示パネル９３に優先機能情報を表示させてもよい。
【０１６６】
上記第１実施形態では、貯湯タンク１０の残湯が所定量未満であるときに、貯湯タンク１０の残湯量情報を暖房リモコン９０ａの表示パネル９３に表示させる例について説明したが、これに代えて、貯湯タンク１０の残湯量に関係なく、貯湯タンク１０の残湯量情報を暖房リモコン９０ａの表示パネル９３に表示させてもよい。
【０１６７】
上記第２実施形態では、夏季、冬季以外のその他の季節において、給湯を暖房よりも優先して運転する例に説明したが、これに代えて、他の季節には、給湯よりも暖房を優先して運転してもよい。なお、季節も使用者が任意に設定することができてもよい。つまり、上記第１実施形態では、夏季が６月〜８月に該当し、かつ冬季が１２月〜２月に該当する例について説明したが、これに代えて、夏季に該当する月を使用者が任意に設定できるようにしてもよく、冬季に該当する月を使用者が任意に設定できるようにしてもよい。また、その他の季節に該当する月を使用者が任意に設定できるようにしてもよい。
【０１６８】
上記第４実施形態では、暖房リモコン９０ａによりリビングルームを暖房させるように操作したときに、リビングルームよりも優先順位が高い部屋を暖房する床暖房ユニット６０Ａ、暖房ユニット７０Ａの運転状況に応じてリビングルームを暖房させるか否かを決めた例について説明したが、これに代えて、次の（１）、（２）、（３）ようにしてもよい。
【０１６９】
（１）暖房リモコン９０ａによりダイニングルームを暖房させるように操作したときに、ダイニングルームよりも優先順位が高い部屋を暖房する床暖房ユニットの運転状況に応じてリビングルームを暖房させるか否かを決める。
【０１７０】
ダイニングルームは優先順位が１であるため、ダイニングルーム以外の他の部屋の運転状況に関係なく、床暖房ユニット６０Ａによりダイニングルームを暖房することになる。
【０１７１】
（２）暖房リモコン９０ａにより寝室１を暖房させるように操作したときに、寝室１よりも優先順位が高いダイニングルームを暖房する床暖房ユニット６０Ａの運転状況に応じて寝室１を暖房させるか否かを決める。
【０１７２】
例えば、ダイニングルームが床暖房ユニット６０Ａによって暖房されているときには、暖房ユニット７０Ａによる寝室１の暖房を停止する。ダイニングルームが床暖房ユニット６０Ａによって暖房していないときには、暖房ユニット７０Ａによる寝室１の暖房を開始する。
【０１７３】
（３）暖房リモコン９０ａにより寝室２を暖房させるように操作したときに、寝室２よりも優先順位が高いダイニングルーム、リビングルーム、寝室１を暖房する床暖房ユニット６０Ａ、６０Ｂ、および暖房ユニット７０Ａの運転状況に応じて寝室２を暖房させるか否かを決める。
【０１７４】
例えば、ダイニングルーム、リビングルーム、寝室１が床暖房ユニット６０Ａ、６０Ｂ、および暖房ユニット７０Ａによって暖房されているときには、暖房ユニット７０Ｂによる寝室１の暖房を停止する。ダイニングルーム、リビングルーム、寝室２が床暖房ユニット６０Ａ、６０Ｂ、および暖房ユニット７０Ａによって暖房していないときには、暖房ユニット７０Ｂによる寝室２の暖房を開始する。
【０１７５】
上記第４実施形態において、暖房リモコン９０ａの表示パネル９３に部屋毎の優先順位を表示させるようにしてもよい。
【０１７６】
上記第１〜５の実施形態では、暖房運転制御処理、リモコン表示処理、優先機能設定処理を給湯制御部４２によって実行させる例について説明したが、これに代えて、暖房運転制御処理、リモコン表示処理、優先機能設定処理を暖房リモコン９０ａ内の制御部によって実行してもよい。
【０１７７】
なお、本発明を実施するにあたり、ＨＥＭＳ（Home Energy Management System）に適用されるモニタ端末を本発明の暖房リモコン９０ａとしてもよい。当該モニタ端末は、家庭内の給湯器等を含む各機器をつないで操作パネルを一元化し、エネルギの使用量を表示器で可視化するようにしたものである。つまり、本発明を実施するにあたり、給湯器を操作できるものであるならば、給湯器以外の機器を操作できるリモートコントローラも本発明の給湯リモコンとしてもよい。
【０１７８】
なお、本発明は上記した実施形態に限定されるものではなく、特許請求の範囲に記載した範囲内において適宜変更が可能である。また、上記各実施形態は、互いに無関係なものではなく、組み合わせが明らかに不可な場合を除き、適宜組み合わせが可能である。
【０１７９】
以下、特許請求の範囲と上記各実施形態との間の対応関係について説明する。
【０１８０】
残湯判定手段がステップ１０１、１１０に対応し、優先運転手段がステップ１０２、１０５に対応し、暖房機器が床暖房ユニット６０Ａ、６０Ｂ、暖房ユニット７０Ａ、７０Ｂに対応し、表示器が表示パネル９３に対応し、優先表示制御手段がステップ１１２、１１３に対応する。残湯量表示制御手段がステップ１１４に対応し、判定手段がステップ１５０、１５１に対応する。残湯増加制御手段がステップ１７３に対応し、操作判定手段がステップ１７２に対応し、情報表示制御手段がステップ１７１に対応する。
【符号の説明】
【０１８１】
１        貯湯式給湯装置
１０      貯湯タンク
２０      ヒートポンプ熱源機
４１      熱源制御部
４２      給湯制御部
６１ａ、６１ｂ      床パネル（熱交換器）
７１ａ、７１ｂ      放熱器（熱交換器）
９０ａ    暖房リモコン
９１ａ、９１ｂ、９１ｃ、９１ｄ      選択スイッチ
９２      決定スイッチ
９３      表示パネル
【図１】
2015081713.tif 000003
【図２】
2015081713.tif 000004
【図３】
2015081713.tif 000005
【図４】
2015081713.tif 000006
【図５】
2015081713.tif 000007
【図６】
2015081713.tif 000008
【図７】
2015081713.tif 000009
【図８】
2015081713.tif 000010
【図９】
2015081713.tif 000011
【図１０】
2015081713.tif 000012
【図１１】
2015081713.tif 000013
【図１２】
2015081713.tif 000014
【図１３】
2015081713.tif 000015
【図１４】
2015081713.tif 000016
【図１５】
2015081713.tif 000017
【図１６】
2015081713.tif 000018
【図１７】
2015081713.tif 000019
【図１８】
2015081713.tif 000020
【図１９】
2015081713.tif 000021